(57)【要約】      （修正有）【課題】使用者向けに適したかかと部のケアを図ることができ、履着が快適で、しかも便利なかかとケアマスクを提供する。【解決手段】本考案のかかとケアマスク２０は、使用者のかかと部に履かせるために、２枚の防水基材２１が対応して包囲するようになる袋状構造体であり、各防水基材の１つの角部を封止して、使用者のかかと背とかかと裏に対応する１本の封止縁部２１１が形成され、かつ封止縁部に対向するもう１つの角部に、それぞれ互いに使用者の足甲を包み込むための接合部２１２が延伸形成され、少なくとも各防水基材の内面に使用者のかかと位置に対応する箇所に１層の保水材２２が被覆される。これにより、使用者向けに適したかかと部のケアを図ることができ、履着が快適で、しかも便利なかかとケアマスクが得られる。【選択図】図５
0003209843.tif 000002
【実用新案登録請求の範囲】
【請求項１】
使用者のかかと部に履かせるために、２枚の防水基材が対応して包囲するようになる袋状構造体であるかかとケアマスクであって、
各前記防水基材の１つの角部を封止して、使用者のかかと背とかかと裏に対応する１筋の封止縁部が形成され、各前記防水基材の前記封止縁部に対向するもう１つの角部に、それぞれ互いに使用者の足甲を包み込むための接合部が延伸形成され、少なくとも各前記防水基材の内面に使用者のかかと位置に対応する箇所に１層の保水材が被覆されることを特徴とする、かかとケアマスク。
【請求項２】
前記かかとケアマスクには、各前記防水基材の外周部に合わせて、前記封止縁部につなぐ１筋のシール縁部が封止され、各前記防水基材の内面に、前記接合部）の下縁に沿って前記封止縁部までに延在してつなぐ１本の下部水封止片が設けられ、少なくともそのうち１つの当該防水基材の上に前記シール縁部に沿って設ける切り取り線が表示されることを特徴とする、請求項１に記載のかかとケアマスク。
【請求項３】
前記かかとケアマスクには、各前記防水基材の外周部に合わせて、前記封止縁部につなぐ１筋のシール縁部が封止され、各前記防水基材の内面に、前記接合部の下縁に沿って前記封止縁部までに延在してつなぐ１本の下部水封止片）が設けられ、各前記防水基材の内面に、前記接合部の上縁に沿って前記封止縁部までに延在してつなぐ１本の上部水封止片が設けられることを特徴とする、請求項１に記載のかかとケアマスク。
【請求項４】
前記かかとケアマスクには、各前記防水基材の外周部に合わせて、前記封止縁部につなぐ１筋のシール縁部）が封止され、各前記防水基材の内面に、前記接合部の下縁に沿って前記封止縁部までに延在してつなぐ１本の下部水封止片が設けられ、各前記防水基材の内面に、前記接合部の上縁に沿って前記封止縁部までに延在してつなぐ１本の上部水封止片が設けられ、少なくともそのうち１つの当該防水基材の上に前記シール縁部に沿って設ける切り取り線が表示されることを特徴とする、請求項１に記載のかかとケアマスク。
【請求項５】
前記かかとケアマスクには、手入れ剤が充填されており、各前記防水基材の外周部に合わせて、前記封止縁部につなぐ１筋のシール縁部が封止され、各前記防水基材の内面に、前記接合部の下縁に沿って前記封止縁部までに延在してつなぐ１本の下部水封止片が設けられ、少なくともそのうち１つの当該防水基材の上に前記シール縁部に沿って設ける切り取り線が表示されることを特徴とする、請求項１に記載のかかとケアマスク。
【請求項６】
前記かかとケアマスクには、手入れ剤が充填されており、各前記防水基材の外周部に合わせて、前記封止縁部）につなぐ１筋のシール縁部が封止され、各前記防水基材の内面に、前記接合部の下縁に沿って前記封止縁部までに延在してつなぐ１本の下部水封止片が設けられ、各前記防水基材の内面に、前記接合部の上縁に沿って前記封止縁部までに延在してつなぐ１本の上部水封止片が設けられることを特徴とする、請求項１に記載のかかとケアマスク。
【請求項７】
前記かかとケアマスクには、手入れ剤が充填されており、各前記防水基材の外周部に合わせて、前記封止縁部につなぐ１筋のシール縁部が封止され、各前記防水基材の内面に、前記接合部の下縁に沿って前記封止縁部までに延在してつなぐ１本の下部水封止片が設けられ、各前記防水基材の内面に、前記接合部の上縁に沿って前記封止縁部までに延在してつなぐ１本の上部水封止片が設けられ、少なくともそのうち１つの当該防水基材の上に前記シール縁部に沿って設ける切り取り線が表示されることを特徴とする、請求項１に記載のかかとケアマスク。
【請求項８】
前記かかとケアマスクには、少なくとも１つの当該防水基材の前記接合部の内面の末端付近箇所に自己粘着層が設けられ、かつ前記自己粘着層の表面に１枚の剥離可能な離型材が被覆されることを特徴とする、請求項１ないし請求項７いずれか１項に記載のかかとケアマスク。
【請求項９】
各前記防水基材の前記接合部の末端下縁から前記封止縁部までに延長する外周輪郭は、前記かかとケアマスクの内部方向に対して凹み込む湾曲弧状を呈することを特徴とする、請求項１ないし請求項７いずれか１項に記載のかかとケアマスク。
【請求項１０】
前記かかとケアマスクには、少なくとも１つの当該防水基材の前記接合部の内面の末端付近箇所に自己粘着層が設けられ、かつ前記自己粘着層の表面に１枚の剥離可能な離型材が被覆され、各前記防水基材の前記接合部の末端下縁から前記封止縁部までに延長する外周輪郭は、前記かかとケアマスクの内部方向に対して凹み込む湾曲弧状を呈することを特徴とする、請求項１ないし請求項７いずれか１項に記載のかかとケアマスク。
【請求項１１】
前記保水材は、不織布から構成されることを特徴とする、請求項１ないし請求項７ずれか１項に記載のかかとケアマスク。
【考案の詳細な説明】
【技術分野】
【０００１】
本考案は、体の美容ケア用品に関し、特に、使用者向けに適したかかと部のケアを図ることができ、履着が快適で、しかも便利なかかとケアマスクに関する。
【背景技術】
【０００２】
肌の生理学から見ると、角質層は肌の表皮の外層であり、内部組織と器官の保護機能を担っている。すなわち、人体でよく動く部位が摩擦し肌を刺激することによって、角質層が絶えずに厚みを増やして肌保護の防御働きを果たす。特に、人体のかかとが体全体の重さを支えると共に、常に動く必要がある。他の部位に比べて、足部の肌が年月の経過、環境またはハイヒール靴を履くによって、老化、カサカサ、またはひび割れが発生される。
【０００３】
角質層にある角質細胞はもともと老廃するもので、これは角質細胞生理の代謝中のとても重要な過程であり、外力で肌の角質を取り除かないでも、肌の角質は一定の代謝過程が発生する。原則として、肌の手入れを定期的に行えば、角質層もともとの保湿機能が維持され、古い角質もおのずと剥がれて行き、引き続きに更新される。
【０００４】
しかし、常にハイヒールを履いて歩く女性には、かかとの角質層が厚くなり、肌がすべすべになれず、カサカサになることは是非とも避けたいものである。そのために、使用者自らでかかととの肌を手入れできる足パック製品が市販されている。図１に示す通り、類似した公知の足パックには、使用者の足裏を入れる袋体１０を有し、前記袋体１０は使用者のかかと上方部に対応する位置に袋口１１が設けられ、また袋口１１を拘束状態に維持する固定具１２が設けられる。
【考案の概要】
【考案が解決しようとする課題】
【０００５】
しかしながら、かかとと足趾との角質の成長速度が異なるために、手入れの必要なタイミングにも差がある。上に掲げた公知の足パックを使用するときに、かかと部のみに絞って手入れすることができず、かかとが長時間に袋体１０内部の手入れ剤による湿潤を受けるために、足裏全体を袋体１０に入れる必要があると同時に、足趾も同じく長時間に手入れ剤に浸けることになり、蒸れで不快感を感じるという不具合があること、や足趾に炎症を引き起こすことなどもしばしばあった。
【０００６】
特に、上に掲げた公知の足パックを使用する場合、使用者の足裏全体をカバーしてしまうと、足パックを履着して使用する過程において、歩くことはほとんどできない。さらに、一部の使用者の足裏が大きすぎると、足パックに入れることができず、または足裏が小さすぎると、足部を完全な密着状態で足パックを履くことができなくて隙間が残る厄介な事態になりかねない。
【課題を解決するための手段】
【０００７】
上記に鑑みて、本考案は、使用者向けに適したかかと部のケアを図ることができ、履着が快適で、しかも便利なかかとケアマスクを提供する。
【０００８】
本考案のかかとケアマスクは、使用者のかかと部に履かせるために、２枚の防水基材が対応して包囲するようになる袋状構造体であり、各防水基材の１つの角部を封止して、使用者のかかと背とかかと裏に対応する１筋の封止縁部が形成され、各防水基材の封止縁部に対向するもう１つの角部に、それぞれ互いに使用者の足甲を包み込むための接合部が延伸形成され、少なくとも各防水基材の内面に使用者のかかと位置に対応する箇所に１層の保水材が被覆される。
【０００９】
原則として、本考案のかかとケアマスクを使用するとき、２枚の防水基材の接合部をそれぞれ足裏の両側から足甲に向かって交差して覆うと共に、粘着方式で２枚の防水基材の接合部を固定すれば、使用者向けに適したかかと部のケアを図ることができる。特に、かかとケアマスク全体を履着して使用するとき、使用者の足趾部が露出している場合、比較的に快適に使用することができ、しかも手入れ剤に長く浸けすぎることで、炎症を引き起こす恐れはない。必要時、使用者は自由に爪先で歩くことができるため、かかとケアマスクを履いて使用するときの快適性と利便性をより一層際立てることができる。
【００１０】
以上の構造特徴に基づき、前述のかかとケアマスクには、各防水基材の内面に、接合部の下縁に沿って封止縁部までに延在してつなぐ１本の下部水封止片が設けられる。
【００１１】
以上の構造特徴に基づき、前述のかかとケアマスクには、各防水基材の内面に、接合部の下縁に沿って封止縁部までに延在してつなぐ１本の下部水封止片が設けられ、各防水基材の内面に、接合部の上縁に沿って封止縁部までに延在してつなぐ１本の上部水封止片が設けられる。
【００１２】
以上の構造特徴に基づき、前述のかかとケアマスクには、各防水基材の外周部に合わせて、封止縁部につなぐ１筋のシール縁部が封止される。
【００１３】
以上の構造特徴に基づき、前述のかかとケアマスクには、各防水基材の外周部に合わせて、封止縁部につなぐ１筋のシール縁部が封止され、かつ少なくともそのうち１つの防水基材の上に、シール縁部に沿って設ける切り取り線が表示される。
【００１４】
以上の構造特徴に基づき、前述のかかとケアマスクには、各防水基材の外周部に合わせて、封止縁部につなぐ１筋のシール縁部が封止され、各防水基材の内面に、接合部の下縁に沿って封止縁部までに延在してつなぐ１本の下部水封止片が設けられる。
【００１５】
以上の構造特徴に基づき、前述のかかとケアマスクには、各防水基材の外周部に合わせて、封止縁部につなぐ１筋のシール縁部が封止され、各防水基材の内面に、接合部の下縁に沿って封止縁部までに延在してつなぐ１本の下部水封止片が設けられ、少なくともそのうち１つの防水基材の上にシール縁部に沿って設ける切り取り線が表示される。
【００１６】
以上の構造特徴に基づき、前述のかかとケアマスクには、各防水基材の外周部に合わせて、封止縁部につなぐ１筋のシール縁部が封止され、各防水基材の内面に、接合部の下縁に沿って封止縁部までに延在してつなぐ１本の下部水封止片が設けられ、各防水基材の内面に、接合部の上縁に沿って封止縁部までに延在してつなぐ１本の上部水封止片が設けられる。
【００１７】
以上の構造特徴に基づき、前述のかかとケアマスクには、各防水基材の外周部に合わせて、封止縁部につなぐ１筋のシール縁部が封止され、各防水基材の内面に、接合部の下縁に沿って封止縁部までに延在してつなぐ１本の下部水封止片が設けられ、各防水基材の内面に、接合部の上縁に沿って封止縁部までに延在してつなぐ１本の上部水封止片が設けられ、少なくともそのうち１つの防水基材の上にシール縁部に沿って設ける切り取り線が表示される。
【００１８】
以上の構造特徴に基づき、前述のかかとケアマスクには、手入れ剤が充填されており、各防水基材の外周部に合わせて、封止縁部につなぐ１筋の封止縁部が封止される。
【００１９】
以上の構造特徴に基づき、前述のかかとケアマスクには、手入れ剤が充填されており、各防水基材の外周部に合わせて、封止縁部につなぐ１筋のシール縁部が封止され、かつ少なくともそのうち１つの防水基材の上にシール縁部に沿って設ける切り取り線が表示される。
【００２０】
以上の構造特徴に基づき、前述のかかとケアマスクには、手入れ剤が充填されており、各防水基材の外周部に合わせて、封止縁部につなぐ１筋のシール縁部が封止され、各防水基材の内面に、接合部の下縁に沿って封止縁部までに延在してつなぐ１本の下部水封止片が設けられる。
【００２１】
以上の構造特徴に基づき、前述のかかとケアマスクには、手入れ剤が充填されており、各防水基材の外周部に合わせて、封止縁部につなぐ１筋のシール縁部が封止され、各防水基材の内面に、接合部の下縁に沿って封止縁部までに延在してつなぐ１本の下部水封止片が設けられ、少なくともそのうち１つの防水基材の上にシール縁部に沿って設ける切り取り線が表示される。
【００２２】
以上の構造特徴に基づき、前述のかかとケアマスクには、手入れ剤が充填されており、各防水基材の外周部に合わせて、封止縁部につなぐ１筋のシール縁部が封止され、各防水基材の内面に、接合部の下縁に沿って封止縁部までに延在してつなぐ１本の下部水封止片が設けられ、各防水基材の内面に、接合部の上縁に沿って封止縁部までに延在してつなぐ１本の上部水封止片が設けられる。
【００２３】
以上の構造特徴に基づき、前述のかかとケアマスクには、手入れ剤が充填されており、各防水基材の外周部に合わせて、封止縁部につなぐ１筋のシール縁部が封止され、各防水基材の内面に、接合部の下縁に沿って封止縁部までに延在してつなぐ１本の下部水封止片が設けられ、各防水基材の内面に、接合部の上縁に沿って封止縁部までに延在してつなぐ１本の上部水封止片が設けられ、少なくともそのうち１つの防水基材の上にシール縁部に沿って設ける切り取り線が表示される。
【００２４】
前述のかかとケアマスクには、少なくとも１つの防水基材の接合部の内面の末端付近箇所に自己粘着層が設けられ、かつ自己粘着層の表面に１枚の剥離可能な離型材が被覆される。
【００２５】
前述の各防水基材の接合部の末端下縁から封止縁部までに延長する外周輪郭は、かかとケアマスクの内部方向に対して凹み込む湾曲弧状を呈する。
【００２６】
前述のかかとケアマスクには、少なくとも１つの防水基材の接合部の内面の末端付近箇所に自己粘着層が設けられ、かつ自己粘着層の表面に１枚の剥離可能な離型材が被覆され、各防水基材の接合部の末端下縁から封止縁部までに延長する外周輪郭は、かかとケアマスクの内部方向に対して凹み込む湾曲弧状を呈する。
【００２７】
前述の保水材は、不織布から構成される。
【考案の効果】
【００２８】
本考案で開示するかかとケアマスクは、使用者向けに適したかかと部のケアを図ることができるのみならず、使用者の足趾部が露出している場合、比較的に快適に使用することができ、しかも手入れ剤に長く浸けすぎることで、炎症を引き起こす恐れはない。必要時、使用者は自由に爪先で歩くことができるため、かかとケアマスクを履いて使用するときの快適性と利便性をより一層際立てることができる。特に、防水基材の接合部の末端下縁から封止縁部までに延長する外周輪郭は、かかとケアマスクの内部方向に対して凹み込む湾曲弧状を呈するので、かかとケアマスク全体が使用者の土踏まず及び足甲とよりよいフィット効果を奏するだけでなく、封止縁部の後部端を引き上げる効果も併せ持ち、相対的に積極的かつより信頼性の高い手段を用いて手入れ液が外に漏れるのを防止できる。
【図面の簡単な説明】
【００２９】
【図１】公知の足パックによる使用状態の模式図である。
【図２】本考案の一好ましい実施例によるかかとケアマスクの構造模式図である。
【図３】本考案によるかかとケアマスクの封止縁部を切り取った後の構造模式図である。
【図４】本考案によるかかとケアマスクの封止縁部を切り取った後の構造模式図である。
【図５】本考案によるかかとケアマスクに使用者のかかと部を入れる状態の模式図である。
【図６】本考案によるかかとケアマスクの履着時のもう１つの固定方式の模式図である。
【考案を実施するための形態】
【００３０】
以下、添付図面を参照して本考案の実施の形態を詳細に説明する。
【実施例】
【００３１】
本考案は、主に使用者向けに適したかかと部のケアを図ることができ、履着が快適で、しかも便利なかかとケアマスクを提供する。図２と図３に示すように、本考案のかかとケアマスク２０は、使用者のかかと部に履かせるために、２枚の防水基材２１が対応して包囲するようになる袋状構造体であり、各防水基材２１の１つの角部を封止して、使用者のかかと背とかかと裏に対応する１筋の封止縁部２１１が形成され、各防水基材２１の封止縁部２１１に対向するもう１つの角部に、それぞれ互いに使用者の足甲を包み込む接合部２１２が延伸形成される。
【００３２】
そして、少なくとも各防水基材２１の内面に使用者のかかと位置に対応する箇所に１層の保水材２２が被覆される。実施時、前述の保水材２２は、不織布から構成されてもよく、当然、他の吸水性を有する材料から構成されてもよい。以上の構造特徴に基づき、本考案のかかとケアマスク２０としては、使用者自らが手入れ剤を加えて使用する商品形態を採用してもよく、またはあらかじめ手入れ剤が充填された商品形態を採用してもよい。
【００３３】
原則として、本考案のかかとケアマスク２０を使用するとき、保水材２２に手入れ剤が吸着された状態において、図４に示すように、２枚の防水基材２１の接合部２１２を外向きに広げる方式で、かかとケアマスク２０全体に使用者のかかと部をいれる。
【００３４】
引き続き、２枚の防水基材２１の接合部２１２をそれぞれ足裏の両側から足甲に向かって交差して覆う方式で、かかとケアマスク２０全体を使用者のかかと部に履着すると共に、図５に示すように、粘着方式で２枚の防水基材２１の接合部２１２を固定すれば、使用者向けに適したかかと部のケアを図ることができる。
【００３５】
本考案のかかとケアマスク２０を実際に使用するとき、図６に示すように、さらに粘着テープ３０を用いて２枚の防水基材２１の接合部２１２を固定することができる。特に、本考案のかかとケアマスク２０を履着して使用するとき、使用者の足趾部が露出している場合、比較的に快適に使用することができ、しかも手入れ剤に長く浸けすぎることで、炎症を引き起こす恐れはない。必要時、使用者は自由に爪先で歩くことができるため、かかとケアマスク２０を履いて使用するときの快適性と利便性を際立てることができる。
【００３６】
図２と図３を合わせて参照する。本考案のかかとケアマスク２０は、実施時、さらに各防水基材２１の内面に、接合部２１２の下縁に沿って封止縁部２１１までに延在してつなぐ１本の下部水封止片２１３が設けられ、下部水封止片２１３によって使用者の肌との間によりよい接合面積が生じるので、手入れ剤の使用時の外漏れを防止できる。
【００３７】
本実施例において、かかとケアマスク２０全体には、各防水基材２１の内面に、接合部２１２の下縁に沿って封止縁部２１１までに延在してつなぐ１本の下部水封止片２１３が設けられ、及び各防水基材２１の内面に、接合部２１２の上縁に沿って封止縁部２１１までに延在してつなぐ１本の上部水封止片２１４が設けられる。
【００３８】
さらに、本考案のかかとケアマスク２０には、手入れ剤が充填されているかに拘らず、かかとケアマスク２０全体には、さらに各防水基材２１の外周部に合わせて、封止縁部２１１につなぐ１筋のシール縁部２１５が封止され、及び各防水基材２１の外周部に合わせて、封止縁部２１１につなぐ１筋のシール縁部２１５が封止される構造形態において、かつ少なくともそのうち１つの防水基材２１の上に、シール縁部２１５に沿って設ける切り取り線２１６が表示され、使用者が容易に切り取り線２１６に沿って封止縁部２１１以外のシール縁部２１５を切り取って使用することができる（図４を参照）。
【００３９】
上に掲げた図２と図３に示す実施例において、かかとケアマスク２０全体には、各防水基材２１の外周部に合わせて、封止縁部２１１につなぐ１筋のシール縁部２１５が封止され、各防水基材２１の内面に、接合部２１２の下縁に沿って封止縁部２１１までに延在してつなぐ１本の下部水封止片２１３が設けられ、各防水基材２１の内面に、接合部２１２の上縁に沿って封止縁部２１１までに延在してつなぐ１本の上部水封止片２１４が設けられ、及び少なくともそのうち１つの防水基材２１の上に、シール縁部２１５に沿って設ける切り取り線２１６が表示される。
【００４０】
本考案のかかとケアマスク２０としては、実施時、例えば各防水基材２１の外周部に合わせて、封止縁部２１１につなぐ１筋のシール縁部２１５が封止され、各防水基材２１の内面に、接合部２１２の下縁に沿って封止縁部２１１までに延在してつなぐ１本の下部水封止片２１３が設けられる商品形態を採用してもよい。
【００４１】
または、各防水基材２１の外周部に合わせて、封止縁部２１１につなぐ１筋のシール縁部２１５が封止され、各防水基材２１の内面に、接合部２１２の下縁に沿って封止縁部２１１までに延在してつなぐ１本の下部水封止片２１３が設けられ、及び少なくともそのうち１つの防水基材２１の上に、シール縁部２１５に沿って設ける切り取り線２１６が表示される。
【００４２】
あるいは、各防水基材２１の外周部に合わせて、封止縁部２１１につなぐ１筋のシール縁部２１５が封止され、各防水基材２１の内面に、接合部２１２の下縁に沿って封止縁部２１１までに延在してつなぐ１本の下部水封止片２１３が設けられ、及び各防水基材２１の内面に、接合部２１２の上縁に沿って封止縁部２１１までに延在してつなぐ１本の上部水封止片２１４が設けられる。
【００４３】
当然、本考案のかかとケアマスク２０として、手入れ剤（図省略）が充填された商品形態を採用する場合、好ましくは、かかとケアマスク２０全体には、図示のように、各防水基材２１の外周部に合わせて、封止縁部２１１につなぐ１筋のシール縁部２１５が封止され、及び下部水封止片２１３と、上部水封止片２１４と、切り取り線２１６またはその組み合わせを選択して組み込むことができる。
【００４４】
さらに、本考案のかかとケアマスク２０は、上に掲げた実施可能な構造形態において、かかとケアマスク２０全体には、図３に示すように、少なくとも１つの防水基材２１の接合部２１２の内面の末端付近箇所に自己粘着層２３が設けられ、かつ自己粘着層２３の表面に１枚の剥離可能な離型材２４が被覆される構造形態であってもよく、使用者が容易に離型材２４を剥離した後、自己粘着層２３を直接使用して防水基材２１の接合部２１２を固定することができる。
【００４５】
そして、前述の各防水基材２１の接合部２１２の末端下縁から封止縁部２１１までに延長する外周輪郭は、図３に示すように、かかとケアマスク２０の内部方向に対して凹み込む湾曲弧状を呈することが好ましいので、図５に示すように、かかとケアマスク２０全体が使用者の土踏まず及び足甲とよりよいフィット効果を奏するだけでなく、封止縁部２１１の後部端を引き上げる効果も併せ持ち、相対的に積極的かつより信頼性の高い手段を用いて手入れ液が外に漏れるのを防止できる。
【００４６】
当然、かかとケアマスク２０全体には、少なくとも１つの防水基材２１の接合部２１２の内面の末端付近箇所に自己粘着層２３が設けられ、かつ自己粘着層２３の表面に１枚の剥離可能な離型材２４が被覆され、各防水基材２１の接合部２１２の末端下縁から封止縁部２１１までに延長する外周輪郭は、かかとケアマスク２０の内部方向に対して凹み込む湾曲弧状を呈することが好ましい。
【００４７】
伝統的な公知構造に比べて、本考案で開示するかかとケアマスクは、使用者向けに適したかかと部のケアを図ることができるのみならず、使用者の足趾部が露出している場合、比較的に快適に使用することができ、しかも手入れ剤に長く浸けすぎることで、炎症を引き起こす恐れはない。必要時、使用者は自由に爪先で歩くことができるため、かかとケアマスクを履いて使用するときの快適性と利便性をより一層際立てることができる。特に、防水基材の接合部の末端下縁から封止縁部までに延長する外周輪郭は、かかとケアマスクの内部方向に対して凹み込む湾曲弧状を呈するので、かかとケアマスク全体が使用者の土踏まず及び足甲とよりよいフィット効果を奏するだけでなく、封止縁部の後部端を引き上げる効果も併せ持ち、相対的に積極的かつより信頼性の高い手段を用いて手入れ液が外に漏れるのを防止できる。
【００４８】
以上に記載の実施例は、単に本考案の技術思想と特徴を説明するためのものであって、その目的は当業者が本考案の内容を理解して実施できるために供することにある。したがって、以上の説明は本考案の請求範囲を限定するものではなく、本考案の開示の精神に基づいてなされた等効果変化または修飾は、いずれも本考案の請求範囲に含まれるものとする。
【符号の説明】
【００４９】
（公知技術）
１０    袋体
１１    袋口
１２    固定具
（本考案）
２０    かかとケアマスク
２１    防水基材
２１１    封止縁部
２１２    接合部
２１３    下部水封止片
２１４    上部水封止片
２１５    シール縁部
２１６    切り取り線
２２    保水材
２３    自己粘着層
２４    離型材
３０    粘着テープ
【図１】
0003209843.tif 000003
【図２】
0003209843.tif 000004
【図３】
0003209843.tif 000005
【図４】
0003209843.tif 000006
【図５】
0003209843.tif 000007
【図６】
0003209843.tif 000008